(57)【要約】【課題】本体の開口を覆うために、別途の付属キャップを必要とすることがなく、必要な数を最小化し、コストを減少できるフラットパネルディスプレイモジュールを提供する。【解決手段】開口２１１を有する本体２１と、本体２１に設置され、開口２１１に対応し、第一位置と第二位置の間で回転するカバー装置２３と、開口２１１に取り外し可能に結合されたベース２２とからなり、ベース２２が開口２１１に結合された時、カバー装置２３は第一位置にあり、ベース２２が開口２１１から離された時、カバー装置２３は第二位置にあって、開口２１１を覆うようになっている。【選択図】図４
0003118012.tif 000002
【実用新案登録請求の範囲】
【請求項１】
開口を有する本体と、
前記本体に設置され、前記開口に対応して第一位置と第二位置との間で回動するカバー装置と、
前記開口に取り外し可能に結合されたベースとからなり、
前記ベースが前記開口に結合された時、前記カバー装置は前記第一位置にあり、前記ベースが前記開口から離された時、前記カバー装置は前記第二位置にあって、前記開口を覆うものであることを特徴とするフラットパネルディスプレイモジュール。
【請求項２】
前記開口は、前記本体の底部に設置されることを特徴とする請求項１に記載のフラットパネルディスプレイモジュール。
【請求項３】
前記カバー装置は、
前記第一位置と前記第二位置との間で前記本体に対して回動可能であるカバー部材と、
前記本体に設置され、前記カバー部材に隣接し、前記カバー部材を前記第二位置に戻すような弾力を提供する弾性部材とからなることを特徴とする請求項１に記載のフラットパネルディスプレイモジュール。
【請求項４】
前記カバー部材は、前記開口の一側に近接して設置されることを特徴とする請求項３に記載のフラットパネルディスプレイモジュール。
【請求項５】
前記弾性部材は、バネからなることを特徴とする請求項３に記載のフラットパネルディスプレイモジュール。
【請求項６】
前記カバー装置は、
前記第一位置と前記第二位置との間で前記本体に対して回動可能であるカバー部材と、
前記カバー部材に設置され、前記本体に隣接し、前記カバー部材を前記第二位置に戻すような弾力を提供する弾性部材とからなることを特徴とする請求項１に記載のフラットパネルディスプレイモジュール。
【請求項７】
前記カバー部材は、前記開口の一側に近接して設置されることを特徴とする請求項６に記載のフラットパネルディスプレイモジュール。
【請求項８】
前記弾性部材は、バネからなることを特徴とする請求項６に記載のフラットパネルディスプレイモジュール。
【考案の詳細な説明】
【技術分野】
【０００１】
本考案は、フラットパネルディスプレイモジュールに関し、特に、回転可能なカバー装置を用いたフラットパネルディスプレイモジュールに関するものである。
【背景技術】
【０００２】
図１を参照すると、従来のフラットパネルディスプレイモジュール１０は、本体１１とベース１２とからなる。本体１１は、開口１１１を有する。ディスプレイモジュール１０を表面の上で用いる時、ベース１２は、開口１１１に挿入される。
【０００３】
また、ベース１２は、開口１１１から取り外すことができ、本体１１を壁の上に取り付けることができる。開口１１１が本体１１の中を外部環境につなぐことから、開口１１１が覆われなければ、本体１１内の電子部品は露出する。その結果、外部の汚染物が進入するだけでなく、放電も生じる可能性がある。
【考案の開示】
【考案が解決しようとする課題】
【０００４】
外部環境から電子部品を遮蔽するために、図２に示すように、従来のディスプレイモジュール１０は、付属キャップＣを用いて開口１１１を覆っている。しかし、付属キャップＣは、ディスプレイモジュール１０から分離しており、容易に紛失し、より複雑な組み立てを必要とする。
【０００５】
そこで本発明は、上記問題点を解決して、本体の開口を覆うために、別途の付属キャップを必要とすることがなく、必要な数を最小化し、コストを減少できるフラットパネルディスプレイモジュールを提供することを、その目的とする。
【課題を解決するための手段】
【０００６】
上記課題を解決するために、本考案は、本体と、カバー装置と、ベースとからなるフラットパネルディスプレイを提供する。ここでの本体は、開口を有する。カバー装置は本体に設置され、開口に対応して第一位置と第二位置との間で回動可能である。ベースは、開口に取り外し可能に結合される。ベースを開口に合わせた時、カバー装置は、第一位置にある。ベースが開口から離された時、カバー装置は第二位置にあって、開口を覆うようになっている。
【０００７】
また、開口は本体の底部に設置される。
【０００８】
カバー装置は、カバー部材と弾性部材とからなる。カバー部材は、第一位置と第二位置との間で本体に対して回動可能である。弾性部材は、本体に設置され、カバー部材に隣接し、カバー部材を第二位置に戻す弾力を提供する。また、弾性部材はバネである。
【０００９】
カバー部材は、開口の一側に近接して設置される。
【００１０】
カバー装置は、カバー部材と弾性部材とからなる。カバー部材は、第一位置と第二位置との間で本体に対して回動可能である。弾性部材は、カバー部材に設置され、本体に隣接し、カバー部材を第二位置に戻す弾力を提供するようになっている。
【考案の効果】
【００１１】
本考案のフラットパネルディスプレイモジュール２０，２０’は、カバー装置２３を直接、本体２１，２１’に提供する。べース２２が本体２１，２１’から取り外された時、弾性部材２３２の弾力を用いて、カバー部材２３１が自動的に開口２１１を覆う。よって、別途の付属キャップを必要とすることがなく、必要な数を最小化し、コストを減少することができる。
【考案を実施するための最良の形態】
【００１２】
本考案についての目的、特徴、長所が一層明確に理解されるよう、以下に実施形態を例示し、図面を参照しながら、詳細に説明する。
【実施例】
【００１３】
図３ａと図３ｂは、本考案のフラットパネルディスプレイモジュール２０を表している。図４と図５は、本考案のフラットパネルディスプレイモジュール２０の断面図である。フラットパネルディスプレイモジュール２０は、本体２１と、ベース２２と、カバー装置２３と、ロック部材２４とからなる。本体２１は、開口２１１、回転部２１２、複数の貫通孔Ｈ１を有する。回転部２１２は、開口２１１の周縁に設置される。ベース２２は、開口２１１に取り外し可能に設置され、貫通孔Ｈ１に対応した複数の取り付け孔Ｈ２を備えている。
【００１４】
カバー装置２３は、カバー部材２３１と弾性部材２３２とからなる。カバー部材２３１は、開口２１１と同じサイズであり、カバー部材２３１の一側は、開放位置（図３ｂに示す第一位置）と閉塞位置（図５に示す第二位置）との間で回転部２１２を中心軸として回動する。また、カバー部材２３１の他側は、段差Ｏ１を形成する一方で、開口２１１の一側は、このカバー部材２３１の段差Ｏ１に対応して段差Ｏ２を形成する。段差Ｏ１とＯ２は、互いに接してカバー部材２３１の回転を制限する。
【００１５】
弾性部材２３２は、回転部２１２に設置されたトーションバネであり、第一端Ｅ１と第二端Ｅ２を有する。第二端Ｅ２は本体２１に隣接し、第一端Ｅ１はカバー部材２３１に隣接する。また、弾性部材２３２をカバー部材２３１に設置することもでき、この場合も第二端Ｅ２は本体２１に隣接し、第一端Ｅ１はカバー部材２３１に隣接する。
【００１６】
注意するのは、ここでの弾性部材２３２はトーションバネからなるが、これに限定するものではなく、その他の種類のバネからなり、別な方法でフラットパネルディスプレイモジュールに組み込んでもよい、ということである。同様に、弾性部材２３２の数も一つに限定するものではない。
【００１７】
図４に示すように、ベース２２が開口２１１と結合した時、ベース２２の前端は、カバー部材２３１の一方の面がベース２２と平行になって隣接するまで、カバー部材２３１を本体２１の内部に押し込む。このときカバー部材２３１は、第一（開放）位置にある。
【００１８】
ロック部材２４が貫通孔Ｈ１を突き抜けて、取り付け孔Ｈ２に取り付けられた時、ベース２２は、本体２１に固定される。ロック部材２４の数は、限定されていないが取り付け孔Ｈ２の数と同じである。
【００１９】
図５に示すように、ロック部材２４が取り付け孔Ｈ２から引き出された時、ベース２２は本体２１から出て、開口２１１から離れる。弾性部材２３２のトーション（捩り力）は、ベース２２の移動と共に解放される。弾性部材２３２の第一端Ｅ１と第二端Ｅ２は、正反対の方向へと動き、段差Ｏ１が本体２１の段差Ｏ２に隣接するまで、カバー部材２３１を本体２１の外方に向けて動かす。このときカバー部材２３１は、第二（閉塞）位置にある。
【００２０】
図６は、本考案のフラットパネルディスプレイモジュール２０’の別な実施例を表している。なお、図１〜図５に示す実施例と同一部分には同一の符号を付して説明する。ここでの本体２１’は、凹部Ｒを有する。ベース２２が開口２１１の内部に設置されると、ベース２２はカバー部材２３１の面に隣接しながら、更に凹部Ｒの内表面に隣接することで、貫通孔Ｈ１と取り付け孔Ｈ２との間の距離が短縮され、同様にロック部材２４’の長さも短縮される。貫通孔Ｈ１を通り抜けた後、ロック部材２４’は取り付け孔Ｈ２に直接取り付けられ、これにより全体的な構造の強度を高めることができる。
【００２１】
以上のように、本実施例では、開口２１１を有する本体２１，２１’と、この本体２１，２１’に設置され、開口２１１に対応して第一位置（開放位置）と第二位置（閉塞位置）との間で回転するカバー装置２３と、開口２１１に取り外し可能に結合されたベース２２とからなり、ベース２２が開口２１１に結合された時には、カバー装置２３は第一位置にあり、ベース２２が開口２１１から離された時には、カバー装置２３は第二位置にあって、開口２１１を覆うように構成されている。
【００２２】
そしてこの場合、カバー装置２３を直接、本体２１，２１’に設置しており、ベース２２が開口２１１に結合された時には、カバー装置２３が第一位置にある一方で、べース２２が本体２１，２１’の開口２１１から離れて取り外された時には、カバー装置２３が自動的に開口２１１を覆う。よって、別途の付属キャップを必要とすることがなく、必要な数を最小化し、コストを減少することができる。
【００２３】
また、開口２１１は本体２１，２１’の底部に設置される。そのため、本体２１，２１’の底部にある開口２１１をカバー装置２３で覆うことができる。
【００２４】
また、カバー装置２３は、第一位置と第二位置との間で本体２１，２１’に対して回動可能であるカバー部材２３１と、本体２１，２１’に設置され、カバー部材２３１に隣接し、カバー部材２３１を前記第二位置に戻すような弾力を提供する弾性部材２３２とからなる。これにより、べース２２が本体２１，２１’から取り外された時、弾性部材２３２の弾力を用いて、カバー部材２３１が自動的に開口２１１を覆うようにすることができる。
【００２５】
また、弾性部材２３２はバネであり、バネの弾力を用いて、カバー部材２３１が自動的に開口２１１を覆うようにすることができる。。
【００２６】
また、カバー部材２３１は、開口２１１の一側に近接して設置される。そのため、開口２１１の一側を中心軸としてカバー部材２３１を回動させることができる。
【００２７】
さらにカバー装置２３は、第一位置と第二位置との間で本体２１，２１’に対して回動可能であるカバー部材２３１と、このカバー部材２３１に設置され、本体２１，２１’に隣接し、カバー部材２３１を第二位置に戻すような弾力を提供する弾性部材２３２とにより構成してもよい。この場合も、べース２２が本体２１，２１’から取り外された時、弾性部材２３２の弾力を用いて、カバー部材２３１が自動的に開口２１１を覆うようにすることができる。
【００２８】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００２９】
【図１】従来のフラットパネルディスプレイモジュールの概略図である。
【図２】ベースがない状態での従来のフラットパネルディスプレイモジュールの概略図である。
【図３ａ】本考案のフラットパネルディスプレイモジュールの概略図である。
【図３ｂ】本考案のフラットパネルディスプレイモジュールの透視断面図である。
【図４】ベースを本体の内部に押し込んだ状態での本考案のフラットパネルディスプレイモジュールの断面図である。
【図５】本考案のフラットパネルディスプレイモジュールの実施例の断面図である。
【図６】本考案のフラットパネルディスプレイモジュールの別な実施例の断面図である。
【符号の説明】
【００３０】
２０，２０’  フラットパネルディスプレイモジュール
２１，２１’  本体
２２  ベース
２３  カバー装置
２１１  開口
２１２  回転部
２２  ベース
２３  カバー装置
２３１  カバー部材
２３２  弾性部材
【図１】
0003118012.tif 000003
【図２】
0003118012.tif 000004
【図３ａ】
0003118012.tif 000005
【図３ｂ】
0003118012.tif 000006
【図４】
0003118012.tif 000007
【図５】
0003118012.tif 000008
【図６】
0003118012.tif 000009